(57)【特許請求の範囲】
【請求項１】
前後方向に軸線を向けて扱胴(7)を配設した扱室(4)と、同扱室(4)の後部側方に前後方向に軸線を向けて処理胴(10)を配設した処理室(5)とを送塵口(14)を介して連通させ、同扱室(4)内で脱穀した扱卸物を扱胴受網(8)を通して漏下させる一方、扱室(4)内から送塵口(14)を通して処理室(5)内に送出される送出物を処理室(5)内で処理して、処理物を処理胴受網(11)を通して漏下させ、これら漏下物を上記扱胴受網(8)及び処理胴受網(11)の直下方位置に配設した選別体(20)により選別するようにした脱穀装置において、
処理胴(10)の外側部の下方位置に漏下物拡散部(30)を配設し、同漏下物拡散部(30)の直上方位置まで処理胴受網(11)を延設して、同処理胴受網(11)の延設部(11a)を通して漏下してくる漏下物(a)を、漏下物拡散部(30)により選別体(20)側に拡散させるようにし、
漏下物拡散部(30)は、処理胴(10)に沿わせて前後方向に伸延する搬送翼体(31)と、同搬送翼体(31)の終端部に連設して搬送翼体(31)と同軸的に回転する枝梗処理体(32)とを具備することを特徴とする脱穀装置。
【請求項２】
枝梗処理体(32)は、選別体(20)の始端側に配置したことを特徴とする請求項１記載の脱穀装置。
【請求項３】
枝梗処理体(32)は、搬送翼体(31)と同軸的に回転する回転胴(32a)の外周面に多数の枝梗切断刃(32b)を突設する一方、同回転胴(32a)の直下方位置に枝梗切断用固定刃(35)を配置して、両刃(32b,35)により枝梗を切断すると共に、穀粒を選別体(20)側に拡散させるようにしたことを特徴とする請求項１又は２記載の脱穀装置。
【発明の詳細な説明】
【０００１】
【発明の属する技術分野】
本発明は、脱穀装置に関する。
【０００２】
【従来の技術】
従来、脱穀装置の一形態として、前後方向に軸線を向けて扱胴を配設した扱室と、同扱室の後部側方に前後方向に軸線を向けて処理胴を配設した処理室とを送塵口を介して連通させ、同扱室内で脱穀した扱卸物を扱胴受網を通して漏下させる一方、扱室内から送塵口を通して処理室内に送出される送出物を処理室内で処理して、同処理物を処理胴受網を通して漏下させ、これら漏下物を上記扱胴受網及び処理胴受網の直下方位置に配設した選別体により選別するようにしたものがある。
【０００３】
【発明が解決しようとする課題】
ところが、上記した処理胴受網は、処理胴の内側半部の下側周面、すなわち、処理胴の略四分の一円弧面を被覆する程度の大きさであるために、処理胴を大径化して処理能力を増大させても、処理胴受網の漏下面積に変わりがなければ漏下物の量に大差がないことから、後続の選別処理能率を向上させることができないという不具合がある。
【０００４】
また、単に、処理胴受網の漏下面積を大きくしても、同処理胴受網の外側部から漏下する漏下物は、選別体の外側部に落下して堆積し、同選別体から容易にオーバーフローして回収ロスする虞がある。
【０００５】
【課題を解決するための手段】
そこで、本発明では、前後方向に軸線を向けて扱胴を配設した扱室と、同扱室の後部側方に前後方向に軸線を向けて処理胴を配設した処理室とを送塵口を介して連通させ、同扱室内で脱穀した扱卸物を扱胴受網を通して漏下させる一方、扱室内から送塵口を通して処理室内に送出される送出物を処理室内で処理して、処理物を処理胴受網を通して漏下させ、これら漏下物を上記扱胴受網及び処理胴受網の直下方位置に配設した選別体により選別するようにした脱穀装置において、処理胴の外側部の下方位置に漏下物拡散部を配設し、同漏下物拡散部の直上方位置まで処理胴受網を延設して、同処理胴受網の延設部を通して漏下してくる漏下物を、漏下物拡散部により選別体側に拡散させるようにし、漏下物拡散部は、処理胴に沿わせて前後方向に伸延する搬送翼体と、同搬送翼体の終端部に連設して搬送翼体と同軸的に回転する枝梗処理体とを具備することを特徴とする脱穀装置を提供するものである。
【０００６】
また、本発明は、以下の構成にも特徴を有する。
【０００８】
（１）枝梗処理体は、選別体の始端側に配置したこと。
【０００９】
（２）枝梗処理体は、搬送翼体と同軸的に回転する回転胴の外周面に多数の枝梗切断刃を突設する一方、同回転胴の直下方位置に枝梗切断用固定刃を配置して、両刃により枝梗を切断すると共に、穀粒を選別体側に拡散させるようにしたこと。
【００１１】
【発明の実施の形態】
以下に、本発明の実施の形態について説明する。
【００１２】
すなわち、本発明に係る脱穀装置は、基本的構造として、前後方向に軸線を向けて扱胴を配設した扱室と、同扱室の後部側方に前後方向に軸線を向けて処理胴を配設した処理室とを送塵口を介して連通させ、同扱室内で脱穀した扱卸物を扱胴受網を通して漏下させる一方、扱室内から送塵口を通して処理室内に送出される送出物を処理室内で処理して、処理物を処理胴受網を通して漏下させ、これら漏下物を上記扱胴受網及び処理胴受網の直下方位置に配設した選別体により選別するようにしている。
【００１３】
そして、特徴的構造として、処理胴の外側部の下方位置に漏下物拡散部を配設し、同漏下物拡散部の直上方位置まで処理胴受網を延設して、同処理胴受網の延設部を通して漏下してくる漏下物を、漏下物拡散部により選別体側に拡散させるようにしている。
【００１４】
すなわち、漏下物拡散部は、処理胴に沿わせて前後方向に伸延する搬送翼体と、同搬送翼体の終端部に連設して搬送翼体と同軸的に回転する枝梗処理体とを具備しており、枝梗処理体は、選別体の始端側に配置している。
【００１５】
そして、枝梗処理体は、搬送翼体と同軸的に回転する回転胴の外周面に多数の枝梗切断刃を突設する一方、同回転胴の直下方位置に枝梗切断用固定刃を配置して、両刃により枝梗を切断すると共に、穀粒を選別体側に拡散させるようにしている。
【００１６】
また、漏下物拡散部は、処理胴に連動機構を介して連動連結している。
【００１７】
【実施例】
以下に、本発明の実施例を、図面を参照しながら説明する。
【００１８】
図1は本発明にかかる脱穀装置Ａの背面説明図、図２は同脱穀装置Ａの側面説明図である。
【００１９】
本発明に係る脱穀装置Ａは、図１及び図２に示すように、刈り取った穀稈を搬送する搬送部としてのフィードチェン１と、同フィードチェン１により後方へ搬送される穀桿の穂先部を脱穀する脱穀部２と、同脱穀部２により脱穀された穀粒を選別する選別部３とを具備している。15は吸引排塵ファンである。
【００２０】
脱穀部２は、扱室４と、同扱室４の右側後方位置に配設した処理室５とを具備しており、扱室４内には前後方向に軸線を向けた扱胴支軸６を介して扱胴７を横架し、同扱胴７の直下方位置に扱胴受網８を張設し、また、処理室５内には前後方向に軸線を向けた処理胴支軸９を介して処理胴10を横架し、同処理胴10の直下方位置に処理胴受網11を張設している。12は扱歯、13は処理歯である。
【００２１】
そして、扱室４と処理室５は送塵口14を介して連通させ、同扱室４内で脱穀した扱卸物を扱胴受網８を通して漏下させる一方、扱室４内から送塵口14を通して処理室５内に送出される送出物を処理室５内で処理して、処理物を処理胴受網11を通して漏下させるようにしている。
【００２２】
ここで、処理胴支軸９と扱室４の前壁4aとの間には前後方向に伸延する伝動軸16を介設しており、同伝動軸16の前端部と扱胴支軸６の前端部とを伝動機構17を介して連動連結している。
【００２３】
そして、伝動機構17は、伝動軸16の前端部と扱胴７の前端部との間にプーリ17a,17bを介して伝動ベルト17cを巻回して形成している。
【００２４】
選別部３は、上記扱胴受網８及び処理胴受網11の直下方位置において前後方向に揺動自在に配設した選別体20と、同選別体20の前部下方位置に配設した唐箕21と、同唐箕21の後方位置でかつ選別体20の中途部下方位置に配設した１番コンベア体22と、同１番コンベア体22の後方位置でかつ選別体20の後部下方位置に配設した２番コンベア体23と、同２番コンベア体23の右側端部と扱室４の右側部との間に介設した２番縦コンベア体24とを具備している。
【００２５】
そして、１番コンベア体22は、左右方向に伸延する１番受樋22a内に１番スクリュウコンベア22bを配置し、また、２番コンベア体23は、左右方向に伸延する２番受樋23a内に２番スクリュウコンベア23bを配置している。
【００２６】
このようにして、扱胴受網８及び処理胴受網11を通して漏下してくる漏下物ａを選別体20により揺動選別すると共に、唐箕21から吹き出る風を選別体20の下方から上方へ向けて通過させることにより風選作用を与えて風選別して、１番物を一番コンベア体22に流下させ、２番物を２番コンベア体23に流下させるようにしている。
【００２７】
そして、１番コンベア体22に流下した１番物は、揚穀筒（図示せず）を介してグレンタンク（図示せず）に回収する一方、２番コンベア体23に流下した２番物は、２番縦コンベア体24を介して扱室４に還元するようにしている。
【００２８】
上記のような構成において、本発明の要旨は、処理胴10の外側部（右側半部）の下方位置に漏下物拡散部30を配設し、同漏下物拡散部30の直上方位置まで処理胴受網11を延設して、同処理胴受網11の延設部11aを通して漏下してくる漏下物ａを、漏下物拡散部30により選別体20側に拡散させるようにしたことにある。ｂ，ｃはそれぞれ拡散方向を示している。
【００２９】
すなわち、漏下物拡散部30は、図１及び図２に示すように、処理胴10に沿わせて前後方向に伸延する搬送翼体31と、同搬送翼体31の終端部（前端部）に連設して搬送翼体31と同軸的に回転する枝梗処理体32と、これら搬送翼体31と枝梗処理体32の直下方を被覆する漏下物受体33とを具備している。
【００３０】
そして、搬送翼体31は、前後方向に伸延する翼体支軸31aの外周面にスパイラル状に翼体31bを突設して、図１に示す背面視にて時計廻りｄに回動させることにより、漏下物受体33上の漏下物を後部側から前部側（ｅ方向）に向けて搬送させることができるようにしている。
【００３１】
枝梗処理体32は、搬送翼体31の前端部に同軸的に連動連結して、選別体20の始端側に配置しており、搬送翼体31と同軸的に回転する回転胴32aの外周面に多数の枝梗切断刃32bを突設する一方、同回転胴32aの直下方に位置する漏下物受体33には固定刃支持体34を外方から着脱自在に取り付け、同固定刃支持体34に突設した複数の枝梗切断用固定刃35を枝梗切断刃32bに対向させて配置して、両刃32b,35により枝梗を切断すると共に、穀粒を選別体20側（拡散方向ｃ側）に拡散させるようにしている。
【００３２】
また、漏下物拡散部30は、処理胴10を支持している処理胴支軸９の後端部と、搬送翼体31の翼体支軸31aの後端部との間に連動機構36を介設しており、同連動機構36は、処理胴支軸９と翼体支軸31aとの間にプーリ36a,36bを介して伝動ベルト36cを巻回して形成している。
【００３３】
また、図３は他の実施例としての脱穀装置Ａの背面説明図、図４は同脱穀装置Ａの側面説明図である。
【００３４】
そして、かかる脱穀装置Ａは、前記した脱穀装置Ａと基本的構造を同じくしているが、漏下物拡散部30に搬送翼体31を設けることなく全長にわたって枝梗処理体32を形成している点において異なる。
【００３５】
すなわち、かかる漏下物拡散部30は、漏下物受体33の全長にわたって枝梗処理体32を形成することにより、漏下物ａ中の枝梗付着粒や穂切粒の枝梗を確実に切断処理した後に選別体20側に拡散することができるようにしている。
【００３６】
そして、このように漏下物ａを拡散させることにより、選別体20上に漏下物ａが部分的に堆積してオーバーフローするという回収ロスの防止を図ることができる。
【００３７】
【発明の効果】
本発明によれば、次のような効果が得られる。
【００３８】
（１）請求項１記載の本発明では、処理胴の外側部の下方位置に漏下物拡散部を配設し、同漏下物拡散部の直上方位置まで処理胴受網を延設して、同処理胴受網の延設部を通して漏下してくる漏下物を、漏下物拡散部により選別体側に拡散させるようにしている。
【００３９】
このように、処理胴受網の面積を拡張しているため、処理胴により処理される処理物の漏下処理効率を向上させることができる。
【００４０】
この際、処理胴受網の延設部を通して漏下してくる漏下物は、処理胴の外側部の下方位置に配設した漏下物拡散部により選別体側に拡散させることができるため、後続の選別作業も効率良く行うことができる。
【００４１】
しかも、漏下物は選別体側に拡散されて、一個所に固まることがないため、選別体からオーバーフローするのを防止することができて、漏下物の回収ロスを低減させることができる。
【００４２】
そして、漏下物拡散部は、処理胴に沿わせて前後方向に伸延する搬送翼体と、同搬送体の終端部に連設して搬送翼体と同軸的に回転する枝梗処理体とを具備している。
【００４３】
このようにして、処理胴により処理されて処理胴受網を通して漏下してくる漏下物を、搬送翼体により枝梗処理体側に搬送して、同枝梗処理体により漏下物中の枝梗付着粒や穂切粒の枝梗を処理することができる。
【００４４】
（２）請求項２記載の本発明では、枝梗処理体は、選別体の始端側に配置している。
【００４５】
このようにして、枝梗処理された漏下物は選別体の始端側に拡散されるため、選別部の終端部より落下する回収ロスを低減させることができる。
【００４６】
（３）請求項３記載の本発明では、枝梗処理体は、搬送翼体と同軸的に回転する回転胴の外周面に多数の枝梗切断刃を突設する一方、同回転胴の直下方位置に枝梗切断用固定刃を配置して、両刃により枝梗を切断すると共に、穀粒を選別体側に拡散させるようにしている。
【００４７】
このようにして、漏下物の枝梗を枝梗切断刃と枝梗切断用固定刃とにより確実に切断して枝梗処理することができると共に、枝梗処理した漏下物をそのまま選別体側にスムーズに拡散させることができる。
【００４８】
従って、枝梗処理作業と後続の選別処理作業とを効率良く行うことができる。
【図面の簡単な説明】
【図１】本発明にかかる脱穀装置の背面説明図。
【図２】同脱穀装置の側面説明図。
【図３】他の実施例としての脱穀装置の背面説明図。
【図４】同脱穀装置の側面説明図。
【符号の説明】
Ａ  脱穀装置
１  フィードチェン
２  脱穀部
３  選別部
４  扱室
５  処理室
６  扱胴支軸
７  扱胴
８  扱胴受網
９  処理胴支軸
10  処理胴
11  処理胴受網
【図１】
0004885378.tif 000002
【図２】
0004885378.tif 000003
【図３】
0004885378.tif 000004
【図４】
0004885378.tif 000005